(57)【特許請求の範囲】
【請求項１】
幅方向に沿い所定ピッチで形成された複数のケーブル案内溝を有するケーブルホルダであって、該ケーブルホルダの各先端部に、前記ケーブル案内溝の先端を二股に分岐するスリットと、該スリットの基端に形成され、前記ケーブル導体先端を嵌着支承する前記ケーブル導体の径よりも若干小さい径の導体嵌挿孔とからなる導体挟持部を一体形成し、該導体挟持部の導体嵌挿孔により該導体嵌挿孔内に嵌着支承された前記ケーブル導体先端を挟んで支持するケーブルホルダと、
対応する前記各ケーブル案内溝内にそれぞれ嵌挿し、該ケーブル案内溝内に配置された前記各ケーブル導体を把持して対応するケーブル導体との電気的接続を図る複数の雌コンタクトを有するソケットとを具えたことを特徴とするコネクタ。
【請求項２】
幅方向に沿い所定ピッチで形成された複数のケーブル案内溝を有するケーブルホルダであって、前記ケーブル案内溝の先端に、互いに前記ケーブル導体の径よりも若干小さい間隔を設けて立設された一対の挟持壁からなる導体挟持部を一体形成し、該導体挟持部の挟持壁間に前記ケーブル導体を挟んで支持するケーブルホルダと、
対応する前記各ケーブル案内溝内にそれぞれ嵌挿し、該ケーブル案内溝内に配置された前記各ケーブル導体を把持して対応するケーブル導体との電気的接続を図る複数の雌コンタクトを有するソケットとを具えたことを特徴とするコネクタ。
【発明の詳細な説明】
【０００１】
【発明の属する技術分野】
この発明は、ノート型コンピータ等の小型電子機器に使用されるコネクタに関し、詳しくは多数本の極細ケーブルを電気的に接続するコネクタに関する。
【０００２】
【従来の技術】
従来より、ノート型パソコンなどの小型電子機器の内部には、例えば液晶表示装置（ＬＣＤ）との間の電気的接続を図るために多数本の極細ケーブルが使用されている。
【０００３】
この多数本の極細ケーブル（以下単にケーブルという）としては、絶縁体内部に極細のケーブル導体を配設した一本のケーブルを多数本集合させたもの、極細のケーブル導体を複数本列状に絶縁体内部に配設したフレキシブルフラットケーブルなどが知られている。
【０００４】
一方、これらの多数本のケーブルと印刷配線板上に形成された各端子とを接続する装置としてコネクタが使用されている。
【０００５】
このコネクタは、複数本の雌コンタクトを有すソケットと、この複数本の雌コンタクトに対応する複数本の雄コンタクトを有し、対応する雌コンタクトに雄コンタクトを嵌着させて雄雌コンタクト間の電気的接合を図るプラグとから構成されている。
【０００６】
このプラグに配設された複数本の各雄コンタクトに、対応する複数のケーブルの各ケーブル導体をそれぞれ接続するために、従来では、各ケーブル導体と対応する各雄コンタクトとを半田付けするか、あるいは圧着工具等を使用して各ケーブル導体と対応する各雄コンタクトとを一本づつ圧着するようにしていた。
【０００７】
【発明が解決しようとする課題】
ところで、上述した従来のコネクタによると、各ケーブル導体と各雄コンタクトとをそれぞれ電気的に接続するため、圧着処理あるいは半田付け処理を行わねばならず、その作業が煩雑で、また誤配線の要因でもあった。
【０００８】
また、従来のコネクタによると、各ケーブル導体と各雄コンタクトとを圧着処理あるいは半田付け処理により接続するため、その圧着部分あるいは半田付け部分が占める専有面積が大きく、このため各雄コンタクト間のピッチをいっそう狭くし（狭ピッチ化し）、これによりコネクタそのものの小型化を図ることも困難であった。
【０００９】
この発明は、上述した事情に鑑み、複数本のケーブルを簡単に接続することができ、しかも各コンタクト間のピッチを一層狭ピッチ化するようにしたコネクタを提供することを目的とする。
【００１０】
【課題を解決するための手段】
上述した課題を解決するため、この発明に係る第１のコネクタでは、幅方向に沿い所定ピッチで形成された複数のケーブル案内溝を有するケーブルホルダであって、該ケーブルホルダの各先端部に、前記ケーブル案内溝の先端を二股に分岐するスリットと、該スリットの基端に形成され、前記ケーブル導体先端を嵌着支承する前記ケーブル導体の径よりも若干小さい径の導体嵌挿孔とからなる導体挟持部を一体形成し、該導体挟持部の導体嵌挿孔により該導体嵌挿孔内に嵌着支承された前記ケーブル導体先端を挟んで支持するケーブルホルダと、対応する前記各ケーブル案内溝内にそれぞれ嵌挿し、該ケーブル案内溝内に配置された前記各ケーブル導体を把持して対応するケーブル導体との電気的接続を図る複数の雌コンタクトを有するソケットとを具えたことを特徴としている。
また、この発明に係る第２のコネクタでは、幅方向に沿い所定ピッチで形成された複数のケーブル案内溝を有するケーブルホルダであって、前記ケーブル案内溝の先端に、互いに前記ケーブル導体の径よりも若干小さい間隔を設けて立設された一対の挟持壁からなる導体挟持部を一体形成し、該導体挟持部の挟持壁間に前記ケーブル導体を挟んで支持するケーブルホルダと、対応する前記各ケーブル案内溝内にそれぞれ嵌挿し、該ケーブル案内溝内に配置された前記各ケーブル導体を把持して対応するケーブル導体との電気的接続を図る複数の雌コンタクトを有するソケットとを具えたことを特徴としている。
【００１１】
【発明の実施の形態】
以下、この発明に係わるコネクタの実施例を詳述する。
【００１２】
図１はこの発明に係わるコネクタ１の一部破断概念平面図である。
【００１３】
このコネクタ１は、複数本の極細ケーブルを所定ピッチで水平な列状に配置する絶縁体のケーブルホルダ２と、このホルダ２を矢印Ａ方向に移動させて嵌着させると、対応するケーブルのケーブル導体を把持して、当該導体との電気的接続を図る雌コンタクト４を複数個水平な列状に配置したソケット５とから構成されている。
【００１４】
このうち、ケーブルホルダ２には、その幅方向に沿って所定ピッチ（略一本のケーブルの径程度のピッチ）でケーブル案内溝６が複数本形成されている。
【００１５】
このケーブル案内溝６は、図１およびそのＢＢ断面で示す図２のように、断面が略Ｕ字形に形成され、図示せぬケーブルの絶縁体部を案内する第１の溝部６ａと、ケーブル端末から延設されたケーブル導体を案内する第２の溝部６ｂと、該第２の溝部６ｂを介し案内されるケーブル導体の先端を挟持する導体挟持部７とから構成されている。
【００１６】
なお、上述した第１の溝部６ａの径は案内するケーブルの絶縁体部の径よりも若干小さく形成されており、また、第２の溝部６ｂも案内するケーブル導体の径よりも若干小さく形成されている。
【００１７】
一方、上述した導体挟持部７はケーブル案内溝６の先端を二股に分岐するスリット７ａと、このスリット７ａの基端に形成された導体嵌挿孔７ｂとから構成されており、また、この導体嵌挿孔７ｂの径はその内部に嵌挿するケーブル導体の径よりも若干小さく形成されている。
【００１８】
なお、上述した第１の溝部６ａ、第２の溝部６ｂ、および導体嵌挿孔７ｂの各上縁には、ケーブルの絶縁体部、あるいはケーブル導体の装着が容易となるように面取り６ａ´、６ｂ´、７ｂ´が施されている（図２）。
【００１９】
次に、上述したコネクタ１の作用を説明する。
【００２０】
上述したケーブルホルダ２に、極細ケーブル１０のケーブル導体１１を装着するには、図３で示すように、当該極細ケーブル１０の先端から延出されたケーブル導体１１の先端１１ａを、導体嵌挿孔７ｂ内に嵌挿する。その際、導体嵌挿孔７ｂの径はケーブル導体１１の径よりも若干小く形成されているから、そのままでは嵌挿させることはできないが、導体嵌挿孔７ｂの径はスリット７ａにより拡開自在なので、当該導体嵌挿孔７ｂの径はスリット７ａにより弾発性を持って若干広がり、このため導体嵌挿孔７ｂはケーブル導体先端１１ａを嵌挿し、その後、当該ケーブル導体先端１１ａを強い力で挟持して支承する。
【００２１】
このように、ケーブル１０のケーブル導体１１を導体嵌挿孔７ｂ内に装着した後、矢印Ｃで示すようにケーブル１０を右側へ略９０度折り曲げ、しかる後、図４で示すように、極細ケーブル１０の絶縁体部１０ａを第１の溝部６ａ内に嵌着し、また先端１１ａを除くケーブル導体１１を第２の溝部６ｂ内に嵌着する。
【００２２】
このように、ケーブル１０をケーブル案内溝６内に装着すると、ケーブル導体１１が露出したままケーブルホルダ２内に装着されるので、この露出したケーブル導体１１そのものが雄コンタクトとして使用可能になる。
【００２３】
なお、ケーブル案内溝６内へのケーブル１０の装着手順は上述した手順に限定されることはなく、例えばケーブル導体１１の先端１１ａを予め略９０度に折り曲げた後、そのケーブル導体先端１１ａを導体嵌挿孔７ｂ内へ、絶縁体部１０ａを第１の溝部６ａ内へ、またケーブル導体１１を第２の溝部６ｂ内へそれぞれ同時に装着することも勿論可能で、その装着手順には限定されない。
【００２４】
図５は、上述した複数本の極細ケーブル１０をそれぞれ対応する各ケーブル案内溝６内に装着した状態を示す一部破断平面図である。
【００２５】
図５で示すように、複数本のケーブル１０をそれぞれ対応するケーブル案内溝６内に装着したケーブルホルダ２を、矢印Ｃで示すように各ケーブル導体１１に対応する複数の雌コンタクト４を有するソケット５方向に移動させると、図６で示すように、ケーブルホルダ２がソケット５内に装着される。
【００２６】
このように、ケーブルホルダ２を各ケーブル導体１１に対応する複数の雌コンタクト４を有するソケット５内に装着すると、図６のＤＤ断面で示す図７のように、ケーブルホルダ２のケーブル案内溝６が雌コンタクト４を構成するチューニングフォーク型先端４ａ、４ｂ間に嵌挿する。このようにケーブル案内溝６がチューニングフォーク型先端４ａ、４ｂ間に嵌挿すると、このチューニングフォーク型先端４ａ、４ｂのうち、上側の先端４ａがケーブル案内溝６内に配設された対応するケーブル導体１１と圧接するので、ケーブル導体１１と対応する雌コンタクト４とが接触し、両者間の電気的接続が図られることとなる。
【００２７】
なお、他の各ケーブル導体１１も同様に対応する各雌コンタクト４と接触し、両者間の電気的接続が同時に図られることは言うまでもない。
【００２８】
なお、上記実施例では、ケーブル１０のケーブル導体１１を挟持する導体挟持部７をケーブル案内溝６の先端を二股に分岐するスリット７ａと、このスリット７ａの基端に形成された導体嵌挿孔７ｂとから構成するようにしたが、この発明は上記実施例に限定されることなく、図２と同一部分を同一符号で示す図８のように、導体挟持部７をケーブル案内溝６の先端に互いに所定間隔を設け立設された一対の導体挟持壁２０により構成し、図９で示すように、この挟持壁２０間にケーブル１０のケーブル導体先端１１ａを挟持させ、これによりケーブル１０をケーブルホルダ２に取り付けるようにしても良い。
【００２９】
なお、上述した一対の挟持壁２０の間隔はケーブル導体１１の径よりも若干小さく形成されており、この挟持壁２０間にケーブル導体先端１１ａを嵌入させると挟持壁２０間が弾発力を持って拡開するので、その弾発力によりケーブル導体先端１１ａが挟持壁２０により強い力で挟持されることとなる。
【００３０】
なお、図９で符号２０ａは一対の挟持壁２０の上縁に形成された面取り部で、この面取り部２０ａにより一対の挟持壁２０に対するケーブル導体先端１１ａの嵌入を容易なものとしている。
【００３１】
【発明の効果】
以上説明したように、この発明に係わるコネクタでは、幅方向に沿い所定ピッチで並設されたケーブル案内溝の先端部に導体挟持部を形成し、各ケーブルのケーブル導体先端を対応する各導体挟持部に挟持させてケーブル案内溝内に配置するようにしたから、この各導体挟持部に挟持されたケーブル導体そのものをコンタクトとして使用することができ、このため従来の如く各ケーブル導体と各コンタクトとをそれぞれ圧着あるいは半田付け処理によって結線作業を行う必要がなく、一括結線が可能で、このためコネクタの結線作業を極めて簡単に行え、誤配線も防ぐことができる。
【００３２】
また、この発明に係わるコネクタでは、従来のコネクタの如く各ケーブル導体と各コンタクトと接続する圧着部分あるいは半田付け部分がないので、コンタクトに相当する各ケーブル導体間のピッチをより一層狭ピッチ化し、コネクタの一層の小型化を達成することができる。
【図面の簡単な説明】
【図１】図１は、この発明のコネクタを示す一部破断平面図。
【図２】図２は、図１のＢＢ断面図。
【図３】図３は、ケーブルの取付け手順を示す断面図。
【図４】図４は、ケーブルの取付け手順を示す断面図。
【図５】図５は、ケーブルホルダにケーブルを取り付けた状態を示す一部破断平面図。
【図６】図６は、ソケットにケーブルホルダを装着した状態を示す一部破断平面図。
【図７】図７は、図６のＤＤ断面図。
【図８】図８は、他の実施例を示すケーブルホルダの要部断面図。
【図９】図９は、ケーブルを取り付けた状態を示すケーブルホルダの要部断面図。
【図１】
0003995029.tif 000002
【図２】
0003995029.tif 000003
【図３】
0003995029.tif 000004
【図４】
0003995029.tif 000005
【図５】
0003995029.tif 000006
【図６】
0003995029.tif 000007
【図７】
0003995029.tif 000008
【図８】
0003995029.tif 000009
【図９】
0003995029.tif 000010